(57)【特許請求の範囲】
【請求項１】
複数のチャネルの信号を受信し、１つのチャネルを選局して出力する選局部と、
前記複数のチャネルは、放送局からの信号が伝送される放送局用のチャネルと、自主放送用のチャネルとを含み、
前記選局部で選局されたチャネルの信号を復調するＯＦＤＭ復調部と、
前記復調された信号に緊急情報が含まれているか否かを判別する判別部と、
前記復調された信号からトランスポートストリームパケットを抽出する抽出部と、
前記抽出されたトランスポートストリームパケットをインターネットプロトコル方式の信号であるＩＰ信号に変換するＴＳ／ＩＰ変換部と、
電源操作用ＩＰ信号を記憶する記憶部と、
前記選局部で自主放送用のチャネルが選択され、かつ前記緊急情報が含まれている場合には、前記記憶部に記憶された前記電源操作用ＩＰ信号を出力し、その後、前記変換されたＩＰ信号を出力し、前記選局部で前記放送局用のチャネルが選択された場合、または前記緊急情報が含まれていない場合には、前記変換されたＩＰ信号を出力する選択部とを備えた、受信装置。
【請求項２】
前記ＴＳ／ＩＰ変換部は、前記トランスポートストリームパケットをＵＤＰ（User Datagram Protocol）パケットに変換する、請求項１に記載の受信装置。
【請求項３】
前記ＴＳ／ＩＰ変換部は、前記トランスポートストリームパケットをＲＴＰ（Real-time Transport Protocol）パケットに変換する、請求項１に記載の受信装置。
【請求項４】
前記複数のチャネルの信号は、ＩＳＤＢ−Ｔ方式の信号である、請求項１に記載の受信装置。
【請求項５】
前記緊急情報は、ＩＳＤＢ−Ｔで規定される緊急放送起動フラグである、請求項４記載の受信装置。
【請求項６】
前記電源操作用ＩＰ信号は、ＷａｋｅＯＮＬＡＮ用パケットである、請求項１に記載の受信装置。
【請求項７】
受信装置と、受信装置で受信した信号の表示を制御する表示制御装置とからなる受信システムであって、
前記受信装置は、
複数のチャネルの信号を受信し、１つのチャネルを選局して出力する選局部と、
前記複数のチャネルは、放送局からの信号が伝送される放送局用のチャネルと、自主放送用のチャネルとを含み、
前記選局部で選局されたチャネルの信号を復調するＯＦＤＭ復調部と、
前記復調された信号に緊急情報が含まれているか否かを判別する判別部と、
前記復調された信号からトランスポートストリームパケットを抽出する抽出部と、
前記抽出されたトランスポートストリームパケットをインターネットプロトコル方式の信号であるＩＰ信号に変換するＴＳ／ＩＰ変換部と、
電源操作用ＩＰ信号を記憶する記憶部と、
前記選局部で自主放送用のチャネルが選択され、かつ前記緊急情報が含まれている場合には、前記記憶部に記憶された前記電源操作用ＩＰ信号を出力し、その後、前記変換されたＩＰ信号を出力し、前記選局部で前記放送局用のチャネルが選択された場合、または前記緊急情報が含まれていない場合には、前記変換されたＩＰ信号を出力する選択部とを備え、
前記表示制御装置は、
前記ＩＰ信号に含まれる画像データおよび／または音声データを蓄積し、前記蓄積した画像データおよび／または音声データを読み出して表示モニタに出力し、前記電源操作用ＩＰ信号を受信した場合に、待機モードの場合に通常モードに移行する、受信システム。
【発明の詳細な説明】
【技術分野】
【０００１】
本発明は、受信装置および受信システムに関し、特にＩＳＤＢ−Ｔ（Integrated Services Digital Broadcasting for Terrestrial）方式で送信される信号を受信する受信装置および受信システムに関する。
【背景技術】
【０００２】
従来から、地震などに備えるため、テレビを通じて緊急警報を通報するシステムが知られている。
【０００３】
たとえば、特許文献１（特開２０１１−６１４０９号公報）には、緊急防災情報通知機能を備えたテレビが開示されている。この装置では、デジタル放送チューナーが、被圧縮の画像データを受信した際、あるいは、電子番組表データに緊急災害情報が重畳された受信データを受信した際、緊急情報識別信号を出力する緊急情報識別信号出力手段を備え、この緊急情報識別信号に基づいて、表示処理部のＯＳＤ処理部を直接制御し、テレビのデコーダ、映像処理部、表示処理部で処理することなく、緊急災害情報を瞬時に表示できるようにする。
【先行技術文献】
【特許文献】
【０００４】
【特許文献１】特開２０１１−６１４０９号公報
【発明の概要】
【発明が解決しようとする課題】
【０００５】
しかしながら、特許文献１では、受信する装置と、表示を制御する装置とが別個の場合において、受信装置で緊急情報識別信号を受信しても、受信した信号の表示を制御する表示制御装置の電源がオフの場合には、緊急情報を表示することができない。また、特許文献１の装置では、自主放送用のチャネルからの緊急情報識別信号を受信することができない。
【０００６】
それゆえに、本発明の目的は、緊急情報識別信号を受信したときに、低消費電力状態の待機モードの表示制御装置を通常モードに移行させることができる受信装置および受信システムを提供することである。
【課題を解決するための手段】
【０００７】
上記課題を解決するために、本発明の受信装置は、複数のチャネルの信号を受信し、１つのチャネルを選局して出力する選局部と、選局部で選局されたチャネルの信号を復調するＯＦＤＭ復調部と、復調された信号に緊急情報が含まれているか否かを判別する判別部と、復調された信号からトランスポートストリームパケットを抽出する抽出部と、抽出されたトランスポートストリームパケットをインターネットプロトコル方式の信号であるＩＰ信号に変換するＴＳ／ＩＰ変換部と、電源操作用ＩＰ信号を記憶する記憶部と、選局部で特定のチャネルが選択され、かつ緊急情報が含まれている場合には、記憶部に記憶された電源操作用ＩＰ信号を出力し、その後、変換されたＩＰ信号を出力し、選局部で特定のチャネル以外のチャネルが選択された場合、または緊急情報が含まれていない場合には、変換されたＩＰ信号を出力する選択部とを備える。
【０００８】
好ましくは、特定のチャネルは、自主放送用のチャネルである。
本発明の受信装置は、複数のチャネルの信号を受信し、１つのチャネルを選局して出力する選局部と、選局部で選局されたチャネルの信号を復調するＯＦＤＭ復調部と、復調された信号に緊急情報が含まれているか否かを判別する判別部と、復調された信号からトランスポートストリームパケットを抽出する抽出部と、抽出されたトランスポートストリームパケットをインターネットプロトコル方式の信号であるＩＰ信号に変換するＴＳ／ＩＰ変換部と、電源操作用ＩＰ信号を記憶する記憶部と、緊急情報が含まれている場合には、記憶部に記憶された電源操作用ＩＰ信号を出力し、その後、変換されたＩＰ信号を出力し、緊急情報が含まれていない場合には、変換されたＩＰ信号を出力する選択部とを備える。
【０００９】
好ましくは、ＴＳ／ＩＰ変換部は、トランスポートストリームパケットをＵＤＰ（User Datagram Protocol）パケットに変換する。
【００１０】
好ましくは、ＴＳ／ＩＰ変換部は、トランスポートストリームパケットをＲＴＰ（Real-time Transport Protocol）パケットに変換する。
【００１１】
好ましくは、複数のチャネルの信号は、ＩＳＤＢ−Ｔ方式の信号である。
好ましくは、緊急情報は、ＩＳＤＢ−Ｔで規定される緊急放送起動フラグである。
【００１２】
好ましくは、電源操作用ＩＰ信号は、ＷａｋｅＯＮＬＡＮ用パケットである。
本発明は、受信装置と、受信装置で受信した信号の表示を制御する表示制御装置とからなる受信システムである。受信装置は、複数のチャネルの信号を受信し、１つのチャネルを選局して出力する選局部と、選局部で選局されたチャネルの信号を復調するＯＦＤＭ復調部と、復調された信号に緊急情報が含まれているか否かを判別する判別部と、復調された信号からトランスポートストリームパケットを抽出する抽出部と、抽出されたトランスポートストリームパケットをインターネットプロトコル方式の信号であるＩＰ信号に変換するＴＳ／ＩＰ変換部と、電源操作用ＩＰ信号を記憶する記憶部と、選局部で特定のチャネルが選択され、かつ緊急情報が含まれている場合には、記憶部に記憶された電源操作用ＩＰ信号を出力し、その後、変換されたＩＰ信号を出力し、選局部で特定のチャネル以外のチャネルが選択された場合、または緊急情報が含まれていない場合には、変換されたＩＰ信号を出力する選択部とを備える。表示制御装置は、ＩＰ信号に含まれる画像データおよび／または音声データを蓄積し、蓄積した画像データおよび／または音声データを読み出して表示モニタに出力し、電源起動操作用ＩＰ信号を受信した場合に、待機モードの場合に通常モードに移行する。
【００１３】
本発明は、受信装置と、受信装置で受信した信号の表示を制御する表示制御装置とからなる受信システムである。受信装置は、複数のチャネルの信号を受信し、１つのチャネルを選局して出力する選局部と、選局部で選局されたチャネルの信号を復調するＯＦＤＭ復調部と、復調された信号に緊急情報が含まれているか否かを判別する判別部と、復調された信号からトランスポートストリームパケットを抽出する抽出部と、抽出されたトランスポートストリームパケットをインターネットプロトコル方式の信号であるＩＰ信号に変換するＴＳ／ＩＰ変換部と、電源操作用ＩＰ信号を記憶する記憶部と、緊急情報が含まれている場合には、記憶部に記憶された電源操作用ＩＰ信号を出力し、その後、変換されたＩＰ信号を出力し、緊急情報が含まれていない場合には、変換されたＩＰ信号を出力する選択部とを備える。表示制御装置は、ＩＰ信号に含まれる画像データおよび／または音声データを蓄積し、蓄積した画像データおよび／または音声データを読み出して表示モニタに出力し、電源起動操作用ＩＰ信号を受信した場合に、待機モードの場合に通常モードに移行する。
【発明の効果】
【００１４】
本発明の受信装置および受信システムによれば、緊急警報を受信したときに、待機モー
ドの表示制御装置を通常モードに移行させることができる。
【図面の簡単な説明】
【００１５】
【図１】本発明の実施形態のデジタル伝送システムの構成を表わす図である。
【図２】図１に含まれるコンテンツ作成送信装置の構成を表わす図である。
【図３】図１に含まれる受信システム５＿１の構成を表わす図である。
【図４】本発明の実施形態の受信装置の動作手順を表わすフローチャートである。
【図５】（ａ）および（ｂ）は、表示モニタの状態の例を表わす図である。
【発明を実施するための形態】
【００１６】
以下、本発明の実施形態について図面を参照して説明する。
図１は、本発明の実施形態のデジタル伝送システムの構成を表わす図である。
【００１７】
このデジタル伝送システムは、コンテンツ作成送信装置２と、混合器３と、分配器４と、複数の受信システム５＿１〜５＿４と、複数の表示モニタ６＿１〜６＿４とを備える。
【００１８】
コンテンツ作成送信装置２および混合器３は、たとえば、ビルの管理センタやマンションの管理センタなどに設置され、受信システム５＿１〜５＿４の各々は、テナントや家庭に設けられる。
【００１９】
コンテンツ作成送信装置２と混合器３との間、混合器３と受信システム５＿１〜５＿４との間は、たとえば同軸ケーブルで接続される。
【００２０】
コンテンツ作成送信装置２は、自主放送用のコンテンツとしてサイネージ画像を含む画像ファイルを作成して、放送局１から送信されるＩＳＤＢ−Ｔ（Integrated Services Digital Broadcasting for Terrestrial）方式の信号と同じ形式の信号に変換して出力する。具体的には、コンテンツ作成送信装置２は、画像ファイルの信号を放送局から送信される複数チャネルとは別の空きチャネル（チャネルＡとする）の周波数の信号に変換する。
【００２１】
混合器３は、コンテンツ作成送信装置２から出力される１つのチャネルの信号と放送局１から送信された複数チャネルの信号とを混合して、出力する。
【００２２】
分配器４は、混合器３から出力される信号を分配して、受信システム５＿１〜５＿４へ供給する。
【００２３】
受信システム５＿１〜５＿４は、受信装置７＿１〜７＿４と、表示制御装置８＿１〜８＿４を含む。
【００２４】
受信装置７＿１〜７＿４は、受信したＯＦＤＭ変調された信号を復調することによって得られたＴＳパケットをＩＰ信号に変換して、表示制御装置８＿１〜８＿４へ出力する。
【００２５】
表示制御装置８＿１〜８＿４は、受信装置７＿１〜７＿４から送られたＩＰ信号に含まれる画像ファイルおよび／または音声ファイルを蓄積し、ＩＰ信号に含まれる制御信号に基づいて蓄積したファイルを表示モニタ６＿１〜６＿４へ、たとえばＨＤＭＩ（High-Definition Multimedia Interface）ケーブルまたは同軸ケーブルを介して出力する。
【００２６】
表示モニタ６＿１〜６＿４は、表示制御装置８＿１〜８＿４から出力される画像を表示し、音声をスピーカ出力する。
【００２７】
受信システム５＿１〜５＿４は、たとえばパソコンで構成されており、受信装置７＿１〜７＿４は、パソコンに接続するボードで実現され、表示制御装置８＿１〜８＿４は、パソコン本体のＣＰＵ、メモリなどで実現され、表示モニタ６＿１〜６＿４がパソコンのディスプレイで実現されているものとする。表示モニタ６＿１〜６＿４は、パソコンのディスプレイの代りに、ＴＶ受信機であってもよい。
【００２８】
図２は、図１に含まれるコンテンツ作成送信装置２の構成を表わす図である。
図２に示すように、コンテンツ作成送信装置２は、サイネージ画像作成部１１と、サイネージ画像記憶部１２と、ＴＳ変換部１３と、緊急通知部１５と、ＯＦＤＭ（Orthogonal
Frequency Division Multiplexing）変調部１４とを備える。
【００２９】
サイネージ画像作成部１１は、ＭＰＥＧ（Moving Picture Experts Group）形式のサイネージ画像を含む画像ファイルを作成する。
【００３０】
サイネージ画像記憶部１２は、作成された画像ファイルを記憶する。
ＴＳ変換部１３は、画像ファイルをＴＳ（Transport Stream)パケットに変換する。
【００３１】
緊急通知部１５は、緊急時において、ＴＭＣＣ（Transmission and Multiplexing Configuration and Control）信号における緊急警報情報が放送中であるか否かを示す緊急警報起動フラグに「１」を設定し、通常時において、緊急警報起動フラグに「０」を設定する。ここで、緊急時とは、受信装置７＿１〜７＿４が設置されている場所に特有の緊急時をいう。たとえば、受信装置７＿１〜７＿４が１つのビルに設置されているときには、そのビルの火災時などである。
【００３２】
ＯＦＤＭ変調部１４は、ＴＳパケット、および緊急警報起動フラグを含むＴＭＣＣ信号をＯＦＤＭ変調する。
【００３３】
図３は、図１に含まれる受信システム５＿１の構成を表わす図である。他の受信システム５＿２〜５＿４も、これと同様である。
【００３４】
図３を参照して、この受信システム５＿１は、受信装置７＿１と、表示制御装置８＿１とを備える。
【００３５】
受信装置７＿１は、選局部２１と、ＯＦＤＭ復調部２２と、緊急情報判別部２３と、ＴＳ抽出部２４と、電源操作用ＩＰ信号記憶部２５と、ＴＳ／ＩＰ変換部２７と、選択部２６とを備える。
【００３６】
選局部２１は、分配器４から出力される複数のチャネルの信号を受信し、ユーザなどによって選択された１つのチャネルを選局して出力する。
【００３７】
ＯＦＤＭ復調部２２は、選局部２１から出力される選局されたチャネルの信号をＯＦＤＭ復調する。
【００３８】
緊急情報判別部２３は、ＯＦＤＭ復調された信号に緊急情報が含まれているか否かを判別する。たとえば、緊急情報判別部２３は、ＯＦＤＭ復調された信号に緊急警報起動フラグが含まれ、緊急警報起動フラグが緊急を示す値（すなわち「１」）に設定されているときには、緊急情報が含まれていると判別する。緊急情報判別部２３は、ＯＦＤＭ復調された信号に緊急警報起動フラグが含まれていないか、または含まれていても、その緊急警報起動フラグが緊急を示す値（すなわち「１」）に設定されていないときには、緊急情報が含まれていないと判別する。
【００３９】
ＴＳ抽出部２４は、ＯＦＤＭ復調された信号からＴＳパケットを抽出する。
ＴＳ／ＩＰ変換部２７は、ＴＳ抽出部２４から出力されたＴＳパケットをインターネットプロトコル方式の信号であるＩＰ信号に変換して出力する。具体的には、ＴＳ／ＩＰ変換部２７は、ＴＳパケットをＵＤＰ（User Datagram Protocol）パケットに変換して出力する。ＵＤＰパケットに変換するのは、ＵＤＰでは、ＴＣＰと異なり、再送制御が行なわれないため、伝送遅延が生じないからである。ＵＤＰパケットの宛先として、受信装置が１つの表示制御装置と接続されているときには、その接続先の表示制御装置のアドレスが指定されるが、受信装置が複数の表示制御装置と接続されているときには、複数の接続先の表示制御装置を指定するブロードキャストアドレスまたはマルチキャストアドレスが指定されることとしてもよい。
【００４０】
電源操作用ＩＰ信号記憶部２５は、電源操作用ＩＰ信号として、ＷａｋｅＯｎＬＡＮ用パケット（ＵＤＰパケット）を記憶する。
【００４１】
選択部２６は、選局部２１で特定のチャネルである自主放送用のチャネル（チャネルＡ）が選択され、かつ緊急情報が含まれていると判別された場合には、電源操作用ＩＰ信号を選択して出力し、その後、ＴＳ／ＩＰ変換部２７から出力されたＩＰ信号（ＵＤＰパケット）を選択して出力する。選択部２６は、選局部２１で自主放送用のチャネル以外のチャネルが選択された場合、または緊急情報が含まれていないと判別された場合には、ＴＳ／ＩＰ変換部２７から出力されたＩＰ信号（ＵＤＰパケット）を選択して出力する。
【００４２】
表示制御装置８＿１は、ＩＰ受信部２９と、ファイル抽出部２８と、蓄積部３１と、蓄積検出部３０と、表示出力部３２と、電源制御部３３とを備える。
【００４３】
ＩＰ受信部２９は、受信装置７＿１から出力されるＵＤＰパケットを受信する。
ファイル抽出部２８は、抽出されたＵＤＰパケットのペイロード部分から画像ファイルおよび／または音声ファイルを構成するデータを抽出して蓄積部３１に蓄積する。
【００４４】
蓄積部３１は、抽出された画像ファイルまたは音声ファイルを構成するデータを蓄積する。
【００４５】
蓄積検出部３０は、蓄積部３１において、１つの画像ファイルまたは音声ファイルを構成する全データが蓄積したか、すなわち１つの画像ファイルまたは音声ファイルが完成したか否かを検出する。
【００４６】
表示出力部３２は、蓄積検出部３０で１つの画像ファイルまたは音声ファイルが完成したことが検出されたときに、その画像ファイルまたは音声ファイルを再生して、表示モニタ６＿１へ出力する。
【００４７】
電源制御部３３は、電源操作用ＩＰ信号（ＷａｋｅＯｎＬＡＮ用パケット）を受信したときには、表示制御装置が待機モードの場合には通常モードに移行し、表示モニタ６＿１へも電力を供給する。ここで、待機モードとは、一部の部品への電圧供給が停止または低電圧が供給されたり、クロック供給が停止または低速のクロックが供給されることによって、低消費電力状態となるモードである。
【００４８】
（動作）
図４は、本発明の実施形態の受信装置の動作手順を表わすフローチャートである。
【００４９】
図４を参照して、まず、選局部２１は、分配器４から出力される複数のチャネルの信号を受信し、ユーザなどによって選択された１つのチャネルを選局して出力する（ステップＳ２００）。
【００５０】
次に、ＯＦＤＭ復調部２２は、選局部２１から出力される選局されたチャネルの信号をＯＦＤＭ復調する（ステップＳ２０１）。
【００５１】
次に、緊急情報判別部２３は、ＯＦＤＭ復調された信号に緊急情報が含まれているか否かを判別する（ステップＳ２０２）。
【００５２】
次に、ＴＳ抽出部２４は、ＯＦＤＭ復調された信号からＴＳパケットを抽出する（ステップＳ２０３）。
【００５３】
次に、ＴＳ／ＩＰ変換部２７は、ＴＳ抽出部２４から出力されたＴＳパケットをＵＤＰパケットに変換して出力する（ステップＳ２０４）。
【００５４】
次に、選択部２６は、選局部２１で自主放送用のチャネルが選択され、かつ緊急情報が含まれていると判別された場合には（ステップＳ２０５でＹＥＳ）、電源操作用ＩＰ信号（ＷａｋｅＯＮＬＡＮ用パケット）を選択して出力する（ステップＳ２０６）。
【００５５】
次に、選択部２６は、ＴＳ／ＩＰ変換部２７から出力されたＩＰ信号（ＵＤＰパケット）を選択して出力する（ステップＳ２０７）。
【００５６】
図５（ａ）は、表示制御装置が待機モードの場合の例を表わす図である。
表示制御装置がパソコン本体の場合には、パソコンが待機モードで、低消費電力状態で動作する。
【００５７】
図５（ｂ）は、表示制御装置のモードが切り替わる場合の例を表わす図である。
自主放送のチャネルが選択され、かつ緊急時（すなわち緊急警報起動フラグが「１」に設定されているとき）には、電源操作用ＩＰ信号によって、表示制御装置であるパソコンが通常モードとなる。
【００５８】
以上のように、本発明の実施形態によれば、自主放送用のチャネルからの緊急警報を受信したときに、待機モードの表示制御装置を通常モードへ移行させることができる。
【００５９】
なお、本発明の実施形態では、コンテンツ作成送信装置が、サイネージ画像を含む画像ファイルを作成して送信することとしたが、これに限定するものではない。たとえば音声ファイルを作成して送信することとしてもよい。
【００６０】
また、ＴＳ／ＩＰ変換部では、ＴＳパケットをＵＤＰパケットに変換することとしたが、これに限定するものではない。リアルタイムでの再生が望まれるときには、ＴＳ／ＩＰ変換部は、たとえばＴＳパケットをＲＴＰ（Real-time Transport Protocol）パケットに変換することとしてもよい。
【００６１】
（変形例）
本発明は、上記の実施形態に限定されるものではなく、たとえば以下のような変形例も含む。
【００６２】
（１）  自主放送
本発明の実施形態では、特定のチャネルが自主放送用のチャネルであるとして説明したが、これに限定するものではない。特定のチャネルとして自主放送用のチャネル以外の一般のチャネル、たとえば予め定められたチャネルであってもよい。この場合、放送局から送信される特定のチャネルの信号は、自主放送のチャネルの信号と同様に、緊急情報として緊急フラグを含む。
【００６３】
（２）  選択部
本発明の実施形態では、選択部２６は、選局部２１で自主放送用のチャネルが選択され、かつ緊急情報が含まれていると判別された場合には、電源操作用ＩＰ信号を選択して出力し、選局部２１で自主放送用のチャネル以外のチャネルが選択された場合、または緊急情報が含まれていないと判別された場合には、ＴＳ／ＩＰ変換部２７から出力されたＩＰ信号（ＵＤＰパケット）を選択して出力するとしたが、これに限定するものではない。
【００６４】
たとえば、選択部２６は、選局部２１での選択したチャネルに係らず、緊急情報が含まれていると判別された場合には、電源操作用ＩＰ信号を選択して出力し、緊急情報が含まれていないと判別された場合には、ＴＳ／ＩＰ変換部２７から出力されたＩＰ信号（ＵＤＰパケット）を選択して出力するものとしてもよい。
【００６５】
（３）  分配器
本実施の形態では、分配器４は、混合器３から出力される信号を４分配して、４個の受信システム５＿１〜５＿４へ供給したが、これに限定するものではなく、４以外の数で分配することとしてもよい。
【００６６】
（４）  個別またはグループ制御
個別の受信装置ごとに、または受信装置のグループごとに、待機モードの表示制御装置を通常モードへ移行させたいことがある。これは、受信装置にアドレスを付与し、送信側のコンテンツ作成装置２および放送局１から、待機モードから通常モードへ移行させたい表示制御装置と接続されている受信装置のアドレスを指定した信号を送ることによって実現できる。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６８】
１  放送局、２  コンテンツ作成送信装置、３  混合器、４  分配器、５，５＿１〜５＿４  受信システム、６＿１〜６＿４  表示モニタ、７＿１〜７＿４  受信装置、８＿１〜８＿４  表示制御装置、１１  サイネージ画像作成部、１２  サイネージ画像記憶部、１３  ＴＳ変換部、１４  ＯＦＤＭ変調部、１５  緊急通知部、２１  選局部、２２  ＯＦＤＭ復調部、２３  緊急情報判別部、２４  ＴＳ抽出部、２５  電源操作用ＩＰ信号記憶部、２６  選択部、２７  ＴＳ／ＩＰ変換部、２８  ファイル抽出部、２９  ＩＰ受信部、３０  蓄積検出部、３１  蓄積部、３２  表示出力部。
【図１】
0005764486.tif 000002
【図２】
0005764486.tif 000003
【図３】
0005764486.tif 000004
【図４】
0005764486.tif 000005
【図５】
0005764486.tif 000006